(57)【要約】【課題】  取り込んだパチンコ球に面白い動きをさせることが可能な役物を有するパチンコ機を提供すること。【解決手段】  円筒役物１２Ａは、円筒形状をしており、パチンコ球が通過することが可能な多数の貫通口１１がその曲面１５に貫設されている。さらに、その曲面１５には歯車１６が周設されるとともに、その曲面１５の両端には一対の軸受１７が嵌設される。そして、曲面１５に周設された歯車１６は、モータ２１の歯車３１に歯合するので、モータ２１の駆動力により、円筒役物１２Ａを矢印Ｓの方向に回転させることができる。もっとも、円筒役物１２Ａでは、その内部でパチンコ球が転動する時間を確保するため、円筒役物１２Ａの両端面である開口部１３，１４の両方に対して回転中心線Ｌが交差するように配慮される。【選択図】  図２
2005334365.tif 000002
【特許請求の範囲】
【請求項１】
駆動源と、
前記駆動源の運動エネルギーを伝達するための伝達手段と、
前記伝達手段により、正円状開口面の双方と交差する軸線を中心に回転する円筒役物と、を備え、
前記円筒役物には、
前記円筒役物の曲面の内側に形成されることにより、前記円筒役物の正円状開口面の  一方を通過したパチンコ球が転動し得る通路と、
前記通路との重複を回避しながら前記円筒役物の曲面に貫設されることにより、前記  円筒役物の正円状開口面の一方を通過したパチンコ球が落下し得る貫通口と、が設けら  れたこと、
を特徴とするパチンコ機。
【請求項２】
請求項１に記載するパチンコ機であって、
前記円筒役物には、
前記円筒役物の曲面の内側に形成されることにより、前記通路を転動するパチンコ球  を前記円筒役物の正円状開口面の一方から他方にまで誘導する誘導部材が設けられたこ  と、
を特徴とするパチンコ機。
【請求項３】
請求項１又は請求項２に記載するパチンコ機であって、
前記円筒役物を軸支する基盤と、
前記基盤の一部を構成する壁面と、を備え、
前記基盤の壁面が前記円筒役物の背面側から下面側に渡って隣設されるとともに、前記円筒役物を背面側から下面側を経由して正面側に向けて回転させること、を特徴とするパチンコ機。
【請求項４】
請求項１又は請求項２に記載するパチンコ機であって、
前記円筒役物を軸支する基盤と、
前記基盤の一部を構成する縦設面と、
前記基盤の一部を構成するとともに前記上下面から突出した横設面と、を備え、
パチンコ球の直径以上の間隔をもって、前記基盤の縦設面が前記円筒役物の背面側に前記基盤の横設面が前記円筒役物の下面側に対向して隣設されるとともに、前記円筒役物を背面側から下面側を経由して正面側に向けて回転させること、を特徴とするパチンコ機。
【発明の詳細な説明】
【技術分野】
【０００１】
本発明は、パチンコ球の転動に影響を与えることができるパチンコ機に関するものである。
【背景技術】
【０００２】
従来のパチンコ機には、例えば、回転円板上に複数の係入穴を設けた可動役物を備え、可動役物の係入穴にパチンコ球が係り合って入ることにより、パチンコ球の転動に影響を与えていた（例えば、特許文献１参照）。
【特許文献１】特開２００１−２９３１５９号公報
【発明の開示】
【発明が解決しようとする課題】
【０００３】
そして、可動役物の係入穴に係り合って入ったパチンコ球は、所定の場所で当該係入穴から解放されて再び転動を始めることになるが、その解放される場所までは、所定の回転運動をもって移動することから、単調な動きになっていた。
【０００４】
そこで、本発明は、上述した点を鑑みてなされたものであり、取り込んだパチンコ球に面白い動きをさせることが可能な役物を有するパチンコ機を提供することを課題とする。
【課題を解決するための手段】
【０００５】
この課題を解決するために成された請求項１に係る発明は、パチンコ機であって、駆動源と、前記駆動源の運動エネルギーを伝達するための伝達手段と、前記伝達手段により、正円状開口面の双方と交差する軸線を中心に回転する円筒役物と、を備え、前記円筒役物には、前記円筒役物の曲面の内側に形成されることにより、前記円筒役物の正円状開口面の一方を通過したパチンコ球が転動し得る通路と、前記通路との重複を回避しながら前記円筒役物の曲面に貫設されることにより、前記円筒役物の正円状開口面の一方を通過したパチンコ球が落下し得る貫通口と、が設けられたこと、を特徴としている。
【０００６】
尚、「通路」と「貫通口」は積極的に「重複」を避ける必要はなく、例えば、「貫通口」を「円筒役物の曲面」に貫設された結果として、「通路」が「円筒役物の曲面の内側に形成され」てもよい。
【０００７】
また、請求項２に係る発明は、請求項１に記載するパチンコ機であって、前記円筒役物には、前記円筒役物の曲面の内側に形成されることにより、前記通路を転動するパチンコ球を前記円筒役物の正円状開口面の一方から他方にまで誘導する誘導部材が設けられたこと、を特徴としている。
【０００８】
また、請求項３に係る発明は、請求項１又は請求項２に記載するパチンコ機であって、前記円筒役物を軸支する基盤と、前記基盤の一部を構成する壁面と、を備え、前記基盤の壁面が前記円筒役物の背面側から下面側に渡って隣設されるとともに、前記円筒役物を背面側から下面側を経由して正面側に向けて回転させること、を特徴としている。
【０００９】
また、請求項４に係る発明は、請求項１又は請求項２に記載するパチンコ機であって、前記円筒役物を軸支する基盤と、前記基盤の一部を構成する縦設面と、前記基盤の一部を構成するとともに前記上下面から突出した横設面と、を備え、パチンコ球の直径以上の間隔をもって、前記基盤の縦設面が前記円筒役物の背面側に前記基盤の横設面が前記円筒役物の下面側に対向して隣設されるとともに、前記円筒役物を背面側から下面側を経由して正面側に向けて回転させること、を特徴としている。
【発明の効果】
【００１０】
すなわち、本発明のパチンコ機では、円筒役物をパチンコ球が通過したり、円筒役物を通過する途中でパチンコ球が落下したりするので、円筒役物にパチンコ球を取り込ませれば、パチンコ球に面白い動きをさせることが可能である。
【発明を実施するための最良の形態】
【００１１】
以下、本発明の実施の形態を図面を参照にして説明する。図１は、本実施の形態に係るパチンコ機の遊技盤の中央に配設される中央役物を示した斜視図である。
【００１２】
そこで、先ず、中央役物１の概要について説明する。
【００１３】
図１に示すように、中央役物１には、その正面の中央付近において、特別図柄などを表示する液晶表示装置６１が配設されている。
【００１４】
また、中央役物１の上端面の右側付近には、パチンコ球が通過することが可能なワープ入口２が形成されている。そして、ワープ入口２は、パチンコ球が流下し得るように中央役物１に貫通されたワープ通路３に連通している。一方、中央役物１の正面の右側下部付近には、ワープ通路３に連通するとともにパチンコ球が通過することが可能なワープ出口４が形成されている。
【００１５】
また、ワープ出口４の下方には、液晶表示装置６１の下方中央に向かって下りに傾斜したステージ５が形成されているが、そのステージ５の上には、パチンコ球が通過することが可能な多数の貫通口１１が貫設された円筒役物１２Ａが回動自在に設置されている。この点、円筒役物１２Ａの両端面は、パチンコ球が通過することが可能な正円状の開口部１３，１４となっている。さらに、円筒役物１２Ａの一方の開口部１３はワープ出口４に対向し、また、円筒役物１２Ａの他方の開口部１３の下方にはステージ５が配置されている。
【００１６】
さらに、ステージ５の左端側の下方であって、液晶表示装置６１の下方中央には、パチンコ球が流下し得る中央通路６が形成されている。そして、中央通路６は、中央役物１の正面の中央下部付近において形成されるとともにパチンコ球が通過することが可能な中央出口７に連通している。
【００１７】
従って、ワープ入口２に進入したパチンコ球は、ワープ通路３を介して、ワープ出口１４から放出され、円筒役物１２Ａの一方の開口部１３を通過して、円筒役物１２Ａの内部を転動することになる。
【００１８】
このとき、円筒役物１２Ａの内部を転動するパチンコ球が、円筒役物１２Ａの貫通口１１から落下することなく、円筒役物１２Ａの他方の開口部１４まで達すれば、円筒役物１２Ａの他方の開口部１４からステージ５上に落下した後、ステージ５上を左方向に向かって転動することになる。さらに、ステージ５上を転動するパチンコ球は、ステージ５の左端から落下して、中央通路６を流下し、中央出口７から放出されることになる。
【００１９】
もっとも、円筒役物１は矢印Ｓの方向で回転しており、円筒役物１２Ａの内部を転動するパチンコ球が、円筒役物１２Ａの貫通口１１から落下する可能性も少なくない。そこで、ここでは、円筒役物１２Ａを矢印Ｓの方向で回転させる回転機構の概要を図２に基づいて説明する。図２は、円筒役物１２Ａの分解斜視図である。
【００２０】
図２に示すように、円筒役物１２Ａは、円筒形状をしており、パチンコ球が通過することが可能な多数の貫通口１１がその曲面１５に貫設されている。さらに、その曲面１５には歯車１６が周設されるとともに、その曲面１５の両端には一対の軸受１７が嵌設される。そして、一対の軸受１７は中央役物１に支設される。このとき、曲面１５に周設された歯車１６は、中央役物１に固定されたモータ２１の歯車３１に歯合するので、モータ２１の駆動力により、円筒役物１２Ａを矢印Ｓの方向に回転させることができる。
【００２１】
もっとも、円筒役物１２Ａでは、その内部でパチンコ球が転動する時間を確保するため、円筒役物１２Ａの両端面である開口部１３，１４の両方に対して回転中心線Ｌが交差するように配慮されている。
【００２２】
そして、図３に中央役物１の筐体４１の三面図（第三角法による正面図・平面図・側面図をあわせて表したもの。以下、同じ。）を示す。また、図４にモータ２１の三面図を示し、図５に歯車３１の三面図を示し、図６に円筒役物１２Ａの三面図を示す。さらに、図７に円筒役物１２Ａの断面図を示す。
【００２３】
尚、図５及び図６では、歯車のピッチ円を一点鎖線で示している。
【００２４】
図３に示すように、筐体４１には円筒役物取付部４２が凹設されており、さらに、その円筒役物取付部４２の両側には軸受１７が設けられている。一方、図４に示すモータ２１の駆動軸２２には、図５に示す歯車３１の歯車軸穴３２が嵌合される。そして、このようにして歯車３１が取り付けられたモータ２１は、筐体４１の円筒役物取付部４２に固定される。さらに、図７に示す円筒役物１２Ａの両端を、筐体４１の軸受１７に嵌め込むことにより、筐体４１の円筒役物取付部４２に円筒役物１２Ａを収納する。これにより、円筒役物１２Ａは、中央役物１（図１参照）の筐体４１において、その中央に向かって下りに傾いた状態で取り付けられる。
【００２５】
尚、図２５に、本実施の形態に係るパチンコ機１００の正面図を示す。また、本実施の形態に係るパチンコ機１００の遊技盤１０１の正面図を図２２に示し、当該遊技盤１０１の平面図を図２３に示し、当該遊技盤１０１の側面図を図２４に示す。
【００２６】
以上より、本実施の形態のパチンコ機１００では、ワープ入口２にパチンコ球が進入すると、円筒役物１２Ａをパチンコ球が通過したり、円筒役物１２Ａを通過する途中で円筒役物１２Ａの貫通口１１からパチンコ球が落下したりするので、円筒役物１２Ａにパチンコ球を取り込ませれば、パチンコ球に面白い動きをさせることが可能である。このとき、円筒役物１２Ａは、矢印Ｓの方向で回転しているので、円筒役物１２Ａの貫通口１１からパチンコ球を落下させやすい。一方、円筒役物１２Ａをパチンコ球が通過すると、ステージ５の上を転動して、中央通路６を介して、中央出口７からパチンコ球が放出されることになるが、図２２や図２５に示すように、中央役物１の中央出口７の下方には、第１種始動口１０２が配設されており、中央出口７から放出されたパチンコ球は、第１種始動口１０２に向かって転動することになるので、遊技者に対して有利な状態が形成される。
【００２７】
また、本実施の形態のパチンコ機１００では、図２２に示すように、筐体４１の円筒役物取付部４２で円筒役物１２Ａが回転する際は、円筒役物取付部４２の床面４３から円筒役物１２Ａが離れた状態にあり、その間隔はパチンコ球の直径以上の距離が確保されている。従って、円筒役物１２Ａにおいて、一方の開口部１３を通過したパチンコ球が、貫通口１１に入っても、すぐに、中央役物１の外部にまで排出することができるので、円筒役物１２Ａの内部に次々と進入してくるパチンコ球同士で予定外の影響を与え合うことを回避でき、本体の円筒役物１２Ａの機能をもって、円筒役物１２Ａの内部でパチンコ球を転動させることができる。
【００２８】
尚、本発明は上記実施の形態に限定されるものでなく、その趣旨を逸脱しない範囲で様々な変更が可能である。
【００２９】
例えば、図２６に示すように、円筒役物取付部４２で円筒役物１２Ａが回転する際は、円筒役物１２Ａと円筒役物取付部４２の壁面４４とをほぼ隣接させた状態にしてもよい。このような状態にある円筒役物１２Ａにおいては、一方の開口部１３を通過したパチンコ球が、貫通口１１に入った際に、円筒役物取付部４２の壁面４４と円筒役物１２Ａとの間で詰まることがない。また、円筒役物取付部４２の壁面４４と円筒役物１２Ａとの間に形成される空間は僅かなので、円筒役物取付部４２の縮小化が図られ、機構そのものをコンパクトにすることができる。
【００３０】
また、円筒役物１２Ａの曲面１５の内側には、一方の開口部１３を通過したパチンコ球を、ある程度の確率をもって、貫通口１１で落下させることなく他方の開口部１４にまで導くための種々の誘導部材を設けてもよい。
【００３１】
図８は、半円凹状の誘導部材１８Ｂを曲面１５の内側に形成させた円筒役物１２Ｂの二面図（正面図・曲面１５の内側の展開図をあわせて表したもの。以下、同じ。）である。また、図９は、円筒役物１２Ｂの断面図である。図８の展開図に示したように、円筒役物１２Ｂの曲面１５の内側には、半円凹状の誘導部材１８Ｂが貫通口１１と重複しないように形成されており、これにより、一方の開口部１３を通過したパチンコ球は、その転動スピードや円筒役物１２Ｂの回転スピードにも影響されながらも、ある程度の確率をもって、パチンコ球を貫通口１１で落下させることなく他方の開口部１４にまで導くことができる。
【００３２】
図１０は、半円凸状の誘導部材１８Ｃを曲面１５の内側に形成させた円筒役物１２Ｃの二面図である。また、図１１は、円筒役物１２Ｃの断面図である。図１０の展開図に示したように、円筒役物１２Ｃの曲面１５の内側には、半円凸状の誘導部材１８Ｃが貫通口１１と重複しないように形成されており、これにより、一方の開口部１３を通過したパチンコ球は、その転動スピードや円筒役物１２Ｃの回転スピードに影響されながらも、ある程度の確率をもって、パチンコ球を貫通口１１で落下させることなく他方の開口部１４にまで導くことができる。
【００３３】
図１２は、凹条の誘導部材１８Ｄを曲面１５の内側に形成させた円筒役物１２Ｄの二面図である。また、図１３は、円筒役物１２Ｄの断面図である。図１２の展開図に示したように、円筒役物１２Ｄの曲面１５の内側には、一方の開口部１３から他方の開口部１４にまで連続するように凹条の誘導部材１８Ｄが貫通口１１と重複しないように形成されており、これにより、一方の開口部１３を通過したパチンコ球は、その転動スピードや円筒役物１２Ｄの回転スピードにも影響されながらも、ある程度の確率をもって、パチンコ球を貫通口１１で落下させることなく他方の開口部１４にまで導くことができる。
【００３４】
図１４は、凸条の誘導部材１８Ｅを曲面１５の内側に形成させた円筒役物１２Ｅの二面図である。また、図１４は、円筒役物１２Ｅの断面図である。図１４の展開図に示したように、円筒役物１２Ｅの曲面１５の内側には、一方の開口部１３から他方の開口部１４にまで連続するように凸条の誘導部材１８Ｅが貫通口１１と重複しないように形成されており、これにより、一方の開口部１３を通過したパチンコ球は、その転動スピードや円筒役物１２Ｅの回転スピードにも影響されながらも、ある程度の確率をもって、パチンコ球を貫通口１１で落下させることなく他方の開口部１４にまで導くことができる。
【００３５】
図１８は、半円弧状の誘導部材１８Ｇを曲面１５の内側に形成させた円筒役物１２Ｇの二面図である。また、図１９は、円筒役物１２Ｇの断面図である。図１８の展開図に示したように、円筒役物１２Ｇの曲面１５の内側には、半円弧状の誘導部材１８Ｇが貫通口１１の断面の一部に沿うようにして形成されており、これにより、一方の開口部１３を通過したパチンコ球は、その転動スピードや円筒役物１２Ｇの回転スピードにも影響されながらも、ある程度の確率をもって、パチンコ球を貫通口１１で落下させることなく他方の開口部１４にまで導くことができる。
【００３６】
図２０は、円形磁石の誘導部材１８Ｈを曲面１５の内側に形成させた円筒役物１２Ｈの二面図である。また、図２１は、円筒役物１２Ｈの断面図である。図２０の展開図に示したように、円筒役物１２Ｈの曲面１５には、円形磁石の誘導部材１８Ｈが貫通口１１と重複しないように埋設されており、これにより、一方の開口部１３を通過したパチンコ球は、その転動スピードや円筒役物１２Ｈの回転スピードにも影響されながらも、ある程度の確率をもって、パチンコ球を貫通口１１で落下させることなく他方の開口部１４にまで導くことができる。
【００３７】
また、図１６は、上述したような誘導部材を曲面１５の内側に形成させていない円筒役物１２Ｆの二面図である。また、図１７は、円筒役物１２Ｆの断面図である。図１６の展開図に示したように、円筒役物１２Ｆの曲面１５には貫通口１１が貫設されているのみである。従って、一方の開口部１３を通過したパチンコ球は、その転動スピードや円筒役物１２Ｆの回転スピードに影響されながら、パチンコ球を貫通口１１で落下したり、他方の開口部１４から落下したりする。
【００３８】
尚、図１６及び図１７に示した円筒役物１２Ｆは、上述した図１，図２，図６に示した円筒役物１２Ａと同じものである。
【００３９】
そして、以上より、回転円筒１２Ａ，１２Ｂ，１２Ｃ，１２Ｄ，１２Ｅ，１２Ｆ，１２Ｇ，１２Ｈにおいては、貫通口１１が形成されていない曲面１１の内側が、パチンコ球の通路を形成することになる。
【産業上の利用可能性】
【００４０】
本発明は、パチンコ機の回転役物の構成に適用しうる。
【図面の簡単な説明】
【００４１】
【図１】本実施の形態に係るパチンコ機の遊技盤の中央に配設される中央役物を示した斜視図である。
【図２】本実施の形態に係るパチンコ機の中央役物に設けられた円筒役物の分解斜視図である。
【図３】本実施の形態に係るパチンコ機の中央役物の筐体を示した三面図である。
【図４】本実施の形態に係るパチンコ機の中央役物に固定されたモータを示した三面図である。
【図５】本実施の形態に係るパチンコ機の中央役物のモータに嵌め込まれた歯車を示した三面図である。
【図６】本実施の形態に係るパチンコ機の中央役物に設けられた円筒役物の三面図である。
【図７】図６の線Ａ−Ａで切断した円筒役物の断面図である。
【図８】本実施の形態に係るパチンコ機の中央役物に設けられた円筒役物（誘導部材あり）の一例の二面図である。
【図９】図８の線Ａ−Ａで切断した円筒役物（誘導部材あり）の断面図である。
【図１０】本実施の形態に係るパチンコ機の中央役物に設けられた円筒役物（誘導部材あり）の一例の二面図である。
【図１１】図１０の線Ａ−Ａで切断した円筒役物（誘導部材あり）の断面図である。
【図１２】本実施の形態に係るパチンコ機の中央役物に設けられた円筒役物（誘導部材あり）の一例の二面図である。
【図１３】図１２の線Ａ−Ａで切断した円筒役物（誘導部材あり）の断面図である。
【図１４】本実施の形態に係るパチンコ機の中央役物に設けられた円筒役物（誘導部材あり）の一例の二面図である。
【図１５】図１４の線Ａ−Ａで切断した円筒役物（誘導部材あり）の断面図である。
【図１６】本実施の形態に係るパチンコ機の中央役物に設けられた円筒役物（誘導部材なし）一例の二面図である。
【図１７】図１６の線Ａ−Ａで切断した円筒役物（誘導部材なし）の断面図である。
【図１８】本実施の形態に係るパチンコ機の中央役物に設けられた円筒役物（誘導部材あり）の一例の二面図である。
【図１９】図１８の線Ａ−Ａで切断した円筒役物（誘導部材あり）の断面図である。
【図２０】本実施の形態に係るパチンコ機の中央役物に設けられた円筒役物（誘導部材あり）の一例の二面図である。
【図２１】図２０の線Ａ−Ａで切断した円筒役物（誘導部材あり）の断面図である。
【図２２】本実施形態に係るパチンコ機で使用された遊技盤を示した正面図である。
【図２３】本実施形態に係るパチンコ機で使用された遊技盤を示した平面図である。
【図２４】本実施形態に係るパチンコ機で使用された遊技盤を示した側面図である。
【図２５】本実施の形態に係るパチンコ機を示した正面図である。
【図２６】本実施の形態に係るパチンコ機の中央役物に設けられた円筒役物の取り付け状態を示した断面図である。
【符号の説明】
【００４２】
１  中央役物
１１  貫通口
１２Ａ〜１２Ｈ  円筒役物
１３  円筒役物の一方の開口部
１４  円筒役物の他方の開口部
１５  円筒役物の曲面
１６  円筒役物の歯車
１７  軸受
１８Ｂ〜１８Ｅ  誘導部材
１８Ｇ，１８Ｈ  誘導部材
２１  モータ
３１  歯車
４２  円筒役物取付部
４３  円筒役物取付部の床面
４４  円筒役物取付部の壁面
１００  パチンコ機
【図１】
2005334365.tif 000003
【図２】
2005334365.tif 000004
【図３】
2005334365.tif 000005
【図４】
2005334365.tif 000006
【図５】
2005334365.tif 000007
【図６】
2005334365.tif 000008
【図７】
2005334365.tif 000009
【図８】
2005334365.tif 000010
【図９】
2005334365.tif 000011
【図１０】
2005334365.tif 000012
【図１１】
2005334365.tif 000013
【図１２】
2005334365.tif 000014
【図１３】
2005334365.tif 000015
【図１４】
2005334365.tif 000016
【図１５】
2005334365.tif 000017
【図１６】
2005334365.tif 000018
【図１７】
2005334365.tif 000019
【図１８】
2005334365.tif 000020
【図１９】
2005334365.tif 000021
【図２０】
2005334365.tif 000022
【図２１】
2005334365.tif 000023
【図２２】
2005334365.tif 000024
【図２３】
2005334365.tif 000025
【図２４】
2005334365.tif 000026
【図２５】
2005334365.tif 000027
【図２６】
2005334365.tif 000028